(57)【要約】【目的】無限動力を提供するにある。【構成】固定内歯車の内周に小径な駆動歯車とペアで回転する従動歯車にクランク形状のアームと一体で回動するようになった歯車を多数設け、クランク形状のアームの先にピン結合されたロッドと棒状の磁気アームの中間でピン結合し棒状の磁気アームの先端に固定磁石に向かい合う同極の磁石を設けた棒状の磁気アームをベースの外周に中心方向に向いた多数の固定磁石に順次反発対応するよう設ることを特徴とする。【選択図】　　図１
2004080982.tif 000002
【特許請求の範囲】
【請求項１】
ベースに支持された固定軸に固定歯車及び回転枠を設け、この回転枠に固定歯車とかみ合う小径な駆動歯車及び従動歯車に駆動アーム及び従動アームを設け、このアームの先に磁気アーム及び従動ロッドをピン結合させ磁気アームの先に磁石を固着、またベースの外周に固定磁石を等間隔に配置することを特徴とする反発モータ。
【発明の詳細な説明】
【０００１】
【産業上の利用分野】
玩具、医療、人工臓器、船舶、輸送、交通機関、産業、宇宙船等に至る全ての動力に関するものである。
【０００２】
【発明が解決しようとする課題】
解決しようとする課題は、消費するエネルギーを要しない動力を提供するにある。
【０００３】
【作用】
単純な歯車構成と反発する磁気力を利用するアーム等特殊な配置構成等から常に回転力を得る。
【０００４】
【実施例】
本発明は互いの磁気作用の内、互いに近づく場合の水平力（逆回転力）を歯車のかみ合わせで打ち消し、反発力で回転磁石４が押し下げられる力のみ利用することを特徴とする。
図１は、本発明の１実施例の一部を示す。この構成はベース１に固着された固定軸１３に大径な固定歯車９（図示は内歯車）が固定され、同じ固定軸１３に回転枠１１がボス１２を介して任意に回転する構成になっている。
このベース１にはブラケット２に固定された固定磁石３が図示されていない等間隔に６カ所設けられている。この固定磁石３に対応するよう回転枠１１に歯車軸８を介して駆動歯車１０が図示されていない等間隔に固定磁石３に順次対応するよう固定磁石３の数より図示されていない一個多い７個が等間隔に設けられ、駆動歯車１０は固定磁石３の数に対応するよう互いに噛み合っている固定歯車９の歯数の６分の１に設定。
この駆動歯車１０より左に離れた位置に駆動アーム７を支持する従動歯車１５が、これも駆動歯車１０と同じ歯数でフライホイールを兼ねる回転枠１１に支持され固定歯車９に噛み合わされている。
【０００５】
この駆動歯車１０及び従動歯車１５には歯車軸８と従動歯車軸１５の一端を介して駆動アーム７及び従動アーム１６が固着され、図示はこのアームの長さを歯車１０、１４のＰＣＤに合わせてあるがこの長さは任意。
また駆動アーム７の先にはピン６を介して任意に回動可能に設けられた磁気アーム５が設けられ中間にはピン１９を介して従動ロッド１８に回動可能に支持されている。
この従動ロッド１８は従動アーム１６の先のピン１７で回動可能に支持されている。
【０００６】
駆動アーム７の先端には回転磁石４が固着され固定磁石３と相対している。
この状態で固定磁石３と駆動アーム７の先の回転磁石４の向かい合う面の磁気を同極にすると駆動アーム７はベース１を反力に固定軸１３の方向に反発力を受け駆動アーム７の方向から駆動歯車１０は左に回転力を受け固定歯車９のかみ合わせから回転枠１１は右に回転する。
この磁気の方向は異極を組み合わせて逆に吸引する方式にしても作用は同じ。
【０００７】
この構成は固定磁石３の数を６個設けるため駆動歯車１０の歯数を固定歯車９の歯数の６分の１に、また駆動歯車１０の配置数も固定磁石３の数より図示されていない１構成増やしたものを等間隔に配置することで３６０度／６×７（駆動歯車数）で図示は８．６度の小さな角度で順次固定磁石３に対応する駆動角度になる。
また固定磁石３の数は多いほど、また駆動歯車１０と従動歯車１５は小さいほど性能は良くなり、回転磁石４の一個当たりの駆動角度がより最小になるよう多数配置すればよい。また駆動アーム７及び従動アーム１６の互いの方向も任意。
【０００８】
この構成の特徴は回転磁石４が固定磁石３に近づく時の回転枠１１の回転方向に逆向きに作用する吸引力及び反発力を固定歯車９に直接作用させ回転枠１１の回転に影響を及ぼさない構成を特徴とする。
この構成から固定歯車９を通常の平歯車を用いて磁気アーム５を反転させ固定磁石を固定軸１３側に設けることも可能であり、また歯車数の減少目的に図示されていない隣の構成の歯車と共用することも可能。
この場合固定磁石３の数を奇数にそして磁気アーム５の数を偶数にする必要がある。
【０００９】
この回転枠１１の出力を取り出す手段は、回転枠１１のボス１２に図示されていないプリー、歯車、スプロケット等を設ける、又は固定軸１３を二重軸にする等がある。また歯車類は磁気に反応しない非鉄金属が好まれる。
この反発モータを停止させるには固定磁石３の一個を図示されていない反転させることで慣性を無視すれば瞬時に停止する。
また本発明の反発モータの出力は反発部分の反発力と回転枠１１の回転数で規定されミリワットから理論上無限大まで対応可能。
【００１０】
【発明の効果】
このように極簡単な構成のみで永久に回転する動力を提供するにある。この発明に依って電池から人力、燃料電池、ボイラー、ガスタービン等を含む内燃機関、風力発電、波力発電、水力発電、地熱発電、太陽電池、火力、原子力の動力等現在存在する全てのエネルギー、動力等の代用が可能であり、反発モータは排ガス等環境破壊等の一切の公害を伴わない、また消耗品を伴わない動力である。
また環境破壊を伴う化石燃料を用いないため地球温暖化防止にも寄与。
【００１１】
本発明は一時的に膨大なエネルギーを要する土木、建築工事等の仮設用の動力としても最適であり、安価なエネルギーを提供するにある。
また介護、介助機器類の動力等を含め無限に存在する。
【図面の簡単な説明】
【図１】反発モータの一部を示す平面図である。
【符号の説明】
１　ベース
２　ブラケット
３　固定磁石
４　回転磁石
５　磁気アーム
６、１７、１９　ピン
７　駆動アーム
８　歯車軸
９　固定歯車
１０　駆動歯車
１１　回転枠
１２　ボス
１３　固定軸
１４　従動歯車
１５　従動歯車軸
１６　従動アーム
１８　従動ロッド
【図１】
2004080982.tif 000003
【手続補正書】
【提出日】平成14年8月23日(2002.8.23)
【手続補正１】
【補正対象書類名】明細書
【補正対象項目名】０００６
【補正方法】変更
【補正の内容】
【０００６】
駆動アーム７の先端には回転磁石４が固着され固定磁石３と相対している。
この状態で固定磁石３と駆動アーム７の先の回転磁石４の向かい合う面の磁気を同極にすると駆動アーム７はベース１を反力に固定軸１３の方向に反発力を受け駆動アーム７の方向から駆動歯車１０は左に回転力を受け固定歯車９のかみ合わせから回転枠１１は右に回転する。
この磁気の方向は異極を組み合わせて逆に吸引する方式にしても作用は同じ。従動歯車１４については固定歯車９の内歯車の外周に図示されていない平歯車を設け、これに比例した図示されていない歯数の従動歯車１４を平歯車に図示とは反転逆向きに配置する手段もあり、この方が従動ロッド１８の角度も鋭角にならず出力が増す。
【手続補正書】
【提出日】平成14年9月4日(2002.9.4)
【手続補正１】
【補正対象書類名】明細書
【補正対象項目名】０００６
【補正方法】変更
【補正の内容】
【０００６】
駆動アーム７の先端には回転磁石４が固着され固定磁石３と相対している。
この状態で固定磁石３と駆動アーム７の先の回転磁石４の向かい合う面の磁気を同極にすると駆動アーム７はベース１を反力に固定軸１３の方向に反発力を受け駆動アーム７の方向から駆動歯車１０は左に回転力を受け固定歯車９のかみ合わせから回転枠１１は右に回転する。
この磁気の方向は異極を組み合わせて逆に吸引する方式にしても作用は同じ。従動歯車１４については固定歯車９の内歯車の外周に図示されていない平歯車又は内歯車を設け、これに比例した図示されていない歯数の従動歯車１４を平歯車に図示とは反転逆向き、内歯車の場合は同様に配置する手段もあり、この方が従動ロッド１８の角度も鋭角にならず、また回転磁石４の構成も多数設けることが可能で出力が増す。
また、駆動アーム７及び従動アーム１６の長さは任意。
図示されたブラケット２はベース１に固着されているが、ベース１を図示されていないブラケット２の内側で円周状に切り離し、これを回動可能にすれば出力の制御及び停止逆転も可能。
【手続補正２】
【補正対象書類名】明細書
【補正対象項目名】０００７
【補正方法】変更
【補正の内容】
【０００７】
この構成は固定磁石３の数を６個設けるため駆動歯車１０の歯数を固定歯車９の歯数の６分の１に、また駆動歯車１０の配置数も固定磁石３の数より図示されていない１構成等増減したものを等間隔に配置することで、１構成増やした場合は３６０度／６×７（駆動歯車数）で図示は８．６度の小さな角度で順次固定磁石３に対応する駆動角度になる。
また固定磁石３の数は多いほど、また駆動歯車１０と従動歯車１５は小さいほど性能は良くなり、回転磁石４の一個当たりの駆動角度がより最小になるよう多数配置すればよい。また駆動アーム７及び従動アーム１６の互いの方向も任意。




【手続補正書】
【提出日】平成14年9月11日(2002.9.11)
【手続補正１】
【補正対象書類名】明細書
【補正対象項目名】０００６
【補正方法】変更
【補正の内容】
【０００６】
駆動アーム７の先端には回転磁石４が固着され固定磁石３と相対している。
この状態で固定磁石３と駆動アーム７の先の回転磁石４の向かい合う面の磁気を同極にすると駆動アーム７はベース１を反力に固定軸１３の方向に反発力を受け駆動アーム７の方向から駆動歯車１０は左に回転力を受け固定歯車９のかみ合わせから回転枠１１は右に回転する。
この磁気の方向は異極を組み合わせて逆に吸引する方式にしても作用は同じ。従動歯車１４については固定歯車９の内歯車の外周に図示されていない平歯車又は内歯車を設け、これに比例した図示されていない歯数の従動歯車１４を平歯車に図示とは反転逆向き、内歯車の場合は同様に配置する手段もあり、この方が従動ロッド１８の角度も鋭角にならず、また回転磁石４の構成も多数設けることが可能で出力が増す。
この場合従動歯車１４、従動アーム１６等を除外してピン１７を回転枠１１に直接固定しても作用は同じで固定磁石３と回転磁石４が近づく際に生じる磁気の吸引力が回転枠１１の右回転の直接の回転力になる。
また、駆動アーム７及び従動アーム１６の長さは任意。
図示されたブラケット２はベース１に固着されているが、ベース１を図示されていないブラケット２の内側で円周状に切り離し、これを回動可能にすれば出力の制御及び停止逆転も可能。